(57)【要約】      （修正有）【課題】受枠部材に不透水性部材を包装すると共に不透水性部材に吸水性部材を包装し、この状態の受枠部材を浴室の天井に配置された換気扇のグリルの下方位置に吊下配置することができ、浴室の高温多湿の使用条件によって結露が水滴となって落下したとしても、受枠部材を包装する吸水性部材が結露を吸水すると共に不透水性部材は結露を受けて結露の通過落下を防ぐことができ、結露が入浴中の人体に滴下して不快感を感得することが無くなり、人体を汚したり、下方の床面や壁面を汚したりすることもなくなり、快適な浴室使用を期すことができる換気扇用結露水受け具を提供する。【解決手段】換気扇のグリルに吊下可能な受枠部材１と、受枠部材を包装可能な不透水性部材２と、不透水性部材を包装可能な吸水性部材３とを備えてなる。【選択図】図１
0003191410.tif 000002
【実用新案登録請求の範囲】
【請求項１】
換気扇のグリルに吊下可能な受枠部材と、該受枠部材を包装可能な不透水性部材と、該不透水性部材を包装可能な吸水性部材とを備えてなることを特徴とする換気扇用結露水受け具。
【請求項２】
上記受枠部材は金属製線材からなることを特徴とする請求項１記載の換気扇用結露水受け具。
【請求項３】
上記不透水性部材は合成樹脂品からなることを特徴とする請求項１又は２記載の換気扇用結露水受け具。
【請求項４】
上記吸水性部材は繊維品からなることを特徴とする請求項１〜３のいずれか１項に記載の換気扇用結露水受け具。
【請求項５】
上記不透水性部材及び吸水性部材は取替自在に設けられていることを特徴とする請求項１〜４のいずれか１項に記載の換気扇用結露水受け具。
【考案の詳細な説明】
【技術分野】
【０００１】
本考案は主に浴室の天井に配置された浴室用換気扇に用いられる換気扇用結露水受け具に関するものである。
【背景技術】
【０００２】
この種の換気扇として、浴室の天井に配置され、浴室の多湿環境に対応し、空調機能や暖房機能、乾燥機能を備えた各種の浴室用換気扇が知られている。
【０００３】
そして、これら浴室用換気扇が浴室で使用された場合、換気扇の吸込口に配置されたグリルに空気中の水蒸気が結露し、結露が水滴となって落下し、入浴中の人体に滴下し、不意に冷たい思いをして不快感を感得したり、人体を汚したり、下方の床面や壁面を汚したりすることがあり、これを防ぐため換気扇のグリルに吸水性塗料を塗布した構造のものも提案されている。
【先行技術文献】
【特許文献】
【０００４】
【特許文献１】実開平５−１９３５号公報
【考案の概要】
【考案が解決しようとする課題】
【０００５】
しかしながら上記従来構造の場合、換気扇のグリルが特殊な構造となり、寒冷地での浴室の高温多湿の過酷な使用条件によっては、結露が水滴となって落下し、入浴中の人体に滴下し、不快感を感得したり、人体を汚したり、下方の床面や壁面を汚したりするおそれが考えられるという不都合を有している。
【課題を解決するための手段】
【０００６】
本考案はこれらの不都合を解決することを目的とするもので、本考案のうちで、請求項１記載の考案は、換気扇のグリルに吊下可能な受枠部材と、該受枠部材を包装可能な不透水性部材と、該不透水性部材を包装可能な吸水性部材とを備えてなることを特徴とする換気扇用結露水受け具にある。
【０００７】
又、請求項２記載の考案は、上記受枠部材は金属製線材からなることを特徴とするものであり、又、請求項３記載の考案は、上記不透水性部材は合成樹脂品からなることを特徴とするものであり、又、請求項４記載の考案は、上記吸水性部材は繊維品からなることを特徴とするものであり、又、請求項５記載の考案は、上記不透水性部材及び吸水性部材は取替自在に設けられていることを特徴とするものである。
【考案の効果】
【０００８】
本考案は上述の如く、請求項１記載の考案にあっては、受枠部材に不透水性部材を包装すると共に不透水性部材に吸水性部材を包装し、この状態の受枠部材を浴室の天井に配置された換気扇のグリルの下方位置に吊下配置することができ、浴室の高温多湿の使用条件によって結露が水滴となって落下したとしても、受枠部材を包装する吸水性部材が結露を吸水すると共に不透水性部材は結露を受けて結露の通過落下を防ぐことができ、結露が入浴中の人体に滴下して不快感を感得することが無くなり、人体を汚したり、下方の床面や壁面を汚したりすることもなくなり、快適な浴室使用を期すことができる。
【０００９】
又、請求項２記載の考案にあっては、上記受枠部材は金属製線材からなるので、受枠部材を容易に製作することができ、又、請求項３記載の考案は、上記不透水性部材は合成樹脂品からなるので、不透水性部材を容易に得ることができ、又、請求項４記載の考案は、上記吸水性部材は繊維品からなるので、吸水性部材を容易に得ることができ、又、請求項５記載の考案は、上記不透水性部材及び吸水性部材は取替自在に設けられているから、不透水性部材及び吸水性部材の乾燥や交換を容易に行うことができ、不透水性部材及び吸水性部材の清潔性を維持することができる。
【図面の簡単な説明】
【００１０】
【図１】本考案の実施の形態例の全体斜視図である。
【図２】本考案の実施の形態例の全体分離斜視図である。
【図３】本考案の実施の形態例の全体分離斜視図である。
【図４】本考案の実施の形態例の全体断面図である。
【図５】本考案の実施の形態例の使用状態の斜視図である。
【考案を実施するための形態】
【００１１】
図１乃至図５は本考案の実施の形態例を示し、Ｗは換気扇、この場合、浴室Ｋの天井Ｔに配置された浴室用換気扇としている。
【００１２】
１は受枠部材であって、この場合、図１、図２、図５の如く、四角枠状の受枠材１ａの対向辺位置に左右一対の引掛フック材１ｂ・１ｂが立設形成され、受枠材１ａ及び引掛フック材１ｂ・１ｂは金属製線材により一体形成され、引掛フック材１ｂ・１ｂをグリルＧの格子材Ｇ１に引き掛け、受枠部材１をグリルＧの下方位置に吊下配置可能に構成している。
【００１３】
２は不透水性部材であって、この場合、図１、図４、図５の如く、換気扇Ｗから滴下する結露Ｐが通過しない不透水性の合成樹脂品が用いられ、受枠部材１に対して包装可能及び取替自在に設けられ、例えば、スーパーのレジ袋やポリオレフィン製のポリ袋を使用することもある。
【００１４】
３は吸水性部材であって、この場合、図１、図３乃至図５の如く、換気扇Ｗから滴下する結露Ｐを吸水して下方に落下しないような性質の繊維品が用いられ、受枠部材１に対して包装可能及び取替自在に設けられ、例えば、贈答品などに用いられる洗顔用タオルを使用することもあり、この場合、上記不透水性部材２及び上記吸水性部材３は合成樹脂製の断面Ｕ形状の二個のクリップ材４により上記受枠部材１の四角枠状の受枠材１ａに着脱自在に挟着保持されるように構成している。
【００１５】
この実施の形態例は上記構成であるから、受枠部材１に不透水性部材２を包装すると共に不透水性部材２に吸水性部材３を包装し、この状態の受枠部材１を浴室Ｋの天井Ｔに配置された換気扇ＷのグリルＧの格子材Ｇ１に引き掛け、受枠部材１を浴室ＫのグリルＧの下方位置に吊下配置することができ、浴室Ｋの高温多湿の使用条件によって結露Ｐが水滴となって落下したとしても、受枠部材１を包装する吸水性部材３が結露Ｐを吸水すると共に不透水性部材２は結露Ｐを受けて結露Ｐの通過落下を防ぐことができ、結露Ｐが入浴中の人体に滴下して不快感を感得することが無くなり、人体を汚したり、下方の床面や壁面を汚したりすることもなくなり、快適な浴室使用を期すことができる。
【００１６】
又、この場合、図１、図３、図４の如く、上記受枠部材１は金属製線材からなるので、受枠部材１を容易に製作することができ、金属製線材製ハンガーを二個使用することにより製作することもでき、又、この場合、上記不透水性部材２は合成樹脂品からなるので、不透水性部材２を容易に得ることができ、スーパーのレジ袋やポリオレフィン製のポリ袋を使用することもでき、又、この場合、上記吸水性部材３は繊維品からなるので、吸水性部材３を容易に得ることができ、贈答品などに用いられる洗顔用タオルを使用することもでき、又、この場合、上記不透水性部材２及び吸水性部材３は取替自在に設けられているから、不透水性部材２及び吸水性部材３の乾燥や交換を容易に行うことができ、不透水性部材２及び吸水性部材３の清潔性を維持することができる。
【００１７】
尚、本考案は上記実施の形態例に限られるものではなく、上記受枠部材１、不透水性部材２、上記吸水性部材３の形状や構造、材質等は適宜変更して設計されるものである。
【００１８】
以上、所期の目的を充分達成することができる。
【符号の説明】
【００１９】
Ｗ    換気扇
Ｇ    グリル
１    受枠部材
２    不透水性部材
３    吸水性部材
【図１】
0003191410.tif 000003
【図２】
0003191410.tif 000004
【図３】
0003191410.tif 000005
【図４】
0003191410.tif 000006
【図５】
0003191410.tif 000007